(57)【要約】【課題】  車椅子の使用者等であっても階段状観覧席にて観覧できる広い床を容易に形成できるとともに、広い床を形成しないときは通常の階段状観覧席として使用することができる階段状観覧席における床形成装置を提供すること。【解決手段】  階段状に形成された観覧席の床面Ａ〜Ｅにおいて、上段の床Ａに隣接する下段の床Ｂの少なくとも一部３６、３８を、上段の床Ａよりも下方の下方位置と、前記上段の床Ａと略面一をなす上方位置と、の間で上下昇降可能にする。【選択図】  図９
2005194769.tif 000002
【特許請求の範囲】
【請求項１】
階段状の観覧席を構成する建築躯体における所定段の床の少なくとも一部を、該床の上段の床よりも下方となる下方位置と、前記上段の床と略面一をなす上方位置と、の間で上下昇降可能としたことを特徴とする階段状観覧席における床形成装置。
【請求項２】
前記上方位置に上昇した前記床の後端部を、該床の上段の床における前端部と連結する連結装置を備える請求項１に記載の階段状観覧席における床形成装置。
【請求項３】
前記階段状の観覧席を構成する建築躯体における垂直壁側にベンチが設けられるとともに、前記床は前床板と後床板とから構成されており、該後床板は、前記下方位置において前記前床板の後方で該前床板と水平をなし、かつ前記上方位置において前記前床板と該床の上段の床との間を閉塞する使用位置と、昇降時において前記ベンチと干渉することのない前記前床板側へ移動した退避位置と、の間で移動自在に設けられている請求項１または２に記載の階段状観覧席における床形成装置。
【請求項４】
前記ベンチの座面を、略水平状態から後方の前記垂直壁に近づく垂直状態へと折り畳み可能とした請求項３に記載の階段状観覧席における床形成装置。
【請求項５】
階段状の観覧席を構成する建築躯体における複数段それぞれの床の少なくとも一部を、各床の上段の床よりも下方となる下方位置と、前記複数段の床のうちの最上段の床よりも上段となる床の床面と略面一をなす上方位置と、の間で上下昇降可能とした請求項１ないし４のいずれかに記載の階段状観覧席における床形成装置。
【請求項６】
前記上下昇降可能な床の少なくとも前側に、手摺りを脱着可能に設けた請求項１ないし５のいずれかに記載の階段状観覧席における床形成装置。
【発明の詳細な説明】
【技術分野】
【０００１】
本発明は、スタジアム施設や多目的ホールなどに設けられた複数段の階段状観覧席に関する。
【背景技術】
【０００２】
従来、スタジアム施設や多目的ホールなどにおいて、階段状に形成された建築躯体の各段の床を観覧席とした階段状観覧席が使用されている。
【０００３】
このような階段状観覧席としては、例えば使用位置に突出した下層階観覧席と、固定された上層階観覧席とを一体の階段状に形成するために、上層階観覧席の下面に伸縮床を前方に向かって摺動自在に装着しておき、使用位置とした下層階観覧席の最上部に向けて延伸させて連接することで階段状の観覧席として使用できるもの等がある（例えば、特許文献１参照）。
【０００４】
【特許文献１】特許第２９８２０９４号
【発明の開示】
【発明が解決しようとする課題】
【０００５】
しかしながら、上述したような階段状観覧席においては、各段の床積が狭いため、例えば車椅子等の使用者は、観覧席に車椅子を進入させて観覧することは困難であったため、観覧エリアを別途に設ける必要があった。
【０００６】
このような車椅子専用の観覧エリアは、出入口から車椅子で移動しやすい場所に設置されることが多いばかりか、その車椅子専用の観覧エリアの広さも小人数分しか割り当てられておらず、車椅子の使用者自身が観覧を希望する場所を選べないとともに、介護者等の同席を満たすことが困難であるばかりか、階段状観覧席の一部が車椅子専用の観覧エリアとして占有されることになるため、車椅子専用の観覧エリアを利用しないときにおいて該エリアを有効に利用することができないといった問題を有していた。
【０００７】
本発明は、このような問題点に着目してなされたもので、車椅子の使用者等であっても階段状観覧席にて観覧できる広い床を容易に形成できるとともに、広い床を形成しないときは通常の階段状観覧席として使用することができる階段状観覧席における床形成装置を提供することを目的とする。
【課題を解決するための手段】
【０００８】
上記課題を解決するために、本発明の請求項１に記載の階段状観覧席における床形成装置は、
階段状の観覧席を構成する建築躯体における所定段の床の少なくとも一部を、該床の上段の床よりも下方となる下方位置と、前記上段の床と略面一をなす上方位置と、の間で上下昇降可能としたことを特徴としている。
この特徴によれば、上下昇降可能とした床を該床の上段の床と略面一をなす上方位置まで上昇させることにより、階段状観覧席の一部に、上段の床と下段の床とを合わせた広さの段差のない面一な床を形成することができるため、車椅子等の使用者であっても階段状観覧席に容易に進入して観覧することができるとともに、上下昇降可能な床を下方位置まで下降させることで、通常の階段状観覧席として使用することができる。
【０００９】
本発明の請求項２に記載の階段状観覧席における床形成装置は、請求項１に記載の階段状観覧席における床形成装置であって、
前記上方位置に上昇した前記床の後端部を、該床の上段の床における前端部と連結する連結装置を備えることを特徴としている。
この特徴によれば、上方位置に上昇された床を上段の床と連結することができるので、上昇させた床と上段の床との離間が防止されるため、上昇させた床と上段の床との間に隙間等が形成されることがないので、安全性が向上する。
【００１０】
本発明の請求項３に記載の階段状観覧席における床形成装置は、請求項１または２に記載の階段状観覧席における床形成装置であって、
前記階段状の観覧席を構成する建築躯体における垂直壁側にベンチが設けられるとともに、前記床は前床板と後床板とから構成されており、該後床板は、前記下方位置において前記前床板の後方で該前床板と水平をなし、かつ前記上方位置において前記前床板と該床の上段の床との間を閉塞する使用位置と、昇降時において前記ベンチと干渉することのない前記前床板側へ移動した退避位置と、の間で移動自在に設けられていることを特徴としている。
この特徴によれば、後床板を前床板側へ移動することで、垂直壁側に設けられたベンチに干渉することなく床が上下昇降されるとともに、床が上方位置にあるときには、後床板により前床板と上段の床との間を閉塞することができるので、段差のない面一な床を形成することができる。
【００１１】
本発明の請求項４に記載の階段状観覧席における床形成装置は、請求項３に記載の階段状観覧席における床形成装置であって、
前記ベンチの座面を、略水平状態から後方の前記垂直壁に近づく垂直状態へと折り畳み可能としたことを特徴としている。
この特徴によれば、ベンチの座面を後方の垂直壁に近づけることによりベンチの前後方向の幅を小さくすることができ、ベンチと干渉しないように前床板側へ移動される後床板の前後方向の幅を小さく形成できるとともに、前床板の前後方向の幅を広く形成することができるので、上下昇降可能な床の安定性が向上する。
【００１２】
本発明の請求項５に記載の階段状観覧席における床形成装置は、請求項１ないし４のいずれかに記載の階段状観覧席における床形成装置であって、
階段状の観覧席を構成する建築躯体における複数段それぞれの床の少なくとも一部を、各床の上段の床よりも下方となる下方位置と、前記複数段の床のうちの最上段の床よりも上段となる床の床と略面一をなす上方位置と、の間で上下昇降可能としたことを特徴としている。
この特徴によれば、複数段それぞれの床が上下昇降可能とすることで、複数段にわたってより広い床を形成することができるようになる。
【００１３】
本発明の請求項６に記載の階段状観覧席における床形成装置は、請求項１ないし５のいずれかに記載の階段状観覧席における床形成装置であって、
前記上下昇降可能な床の少なくとも前側に、手摺りを脱着可能に設けたことを特徴としている。
この特徴によれば、床を上昇させることにより形成された床の前側に手摺りを設けることで使用者の床から落下を防止できるため、安全性が向上するばかりか、床を上昇させないときには手摺りを取り外すことができるため、邪魔にならない。
【発明を実施するための最良の形態】
【００１４】
本発明の実施例を以下に説明する。
【実施例】
【００１５】
本発明の実施例を図面に基づいて説明すると、先ず図1には、本発明が適用された階段状観覧席の側面図が示されている。
【００１６】
図１には、スタジアム施設や多目的ホールなどにおいて大人数の観客を収容するために、階段状に形成された建築躯体（コンクリート等）からなる床Ａ〜Ｅが形成された階段状観覧席が設置されている。最上段の床Ａは、観客や車椅子の使用者１が通行するための通路となっており、この床Ａの下方には床Ｂが設けられていて、更に床Ｂよりも下方には、床Ｃ、床Ｄ、床Ｅが段状に設けられている。
【００１７】
これら床Ａ〜Ｅのうち、床Ｂ、床Ｃ、床Ｄには、本発明の実施例としての床形成装置２、３、４が設置されており、これら床形成装置２、３、４は、建築躯体により構成される床Ｂ〜Ｄ上に設置されている。
【００１８】
以下において、図１の左側を階段状観覧席の前方として説明する。床形成装置２、３、４は同一に構成されているため、以下においては床Ｄに適用されている床形成装置４を一例として説明する。床形成装置４は、前後方向の幅が床Ｄとほぼ同じ幅の台板５が床Ｄ上に固着されており、この台板５の上部に前床板６が設けられている。前床板６の後端部には、後床板７が前床板６側に揺動可能に軸着されており、台板５の上部に設けられている前床板６と後床板７とは上下昇降可能となっており、後述するように、床形成装置４を立設させることができるようになっている。
【００１９】
各々の床Ｂ〜Ｅに対応する垂直壁Ｂ’〜Ｅ’には、折畳式のベンチ８〜１１が固着されており、これらのベンチ８〜１１は左右方向に延びる長椅子状をしている。ベンチ８〜１１は同一に構成されているため、以下においては床Ｄに対応して設けられているベンチ１０を一例として説明する。図２（ａ）は、ベンチ１０を示す側面図であり、図２（ｂ）は、ベンチ１０が折り畳まれた状態を示す側面図である。
【００２０】
図２（ａ）に示すように、ベンチ１０は板状のベース１２が垂直壁Ｄ’に固着されており、このベース１２に取付板１３が枢軸１４を介して揺動可能に軸支されている。取付板１３の上部には座面１５が固着されているとともに、取付板１３の前方の下部には、支持体１６の枢軸１７が軸着されており、この支持体１６の下方の端部には、掛止部１８が突設されている。
【００２１】
ベース１２には、縦長の摺動孔１９が形成されているとともに、この摺動孔１９の上部には、掛止溝２０が形成されていて、この支持体１６の掛止部１８がベース１２の摺動孔１９の掛止溝２０に掛止されることで取付板１３が支持され、座面１５が水平となる使用位置にて保持されるようになっている。
【００２２】
ベンチ１０を折り畳む際には、図２（ｂ）に示すように、支持体１６の掛止部１８をベース１２の摺動孔１９の掛止溝２０から外して、掛止部１８を摺動孔１９に沿って摺動させながら下方に移動させると、取付板１３の枢軸１４を中心に取付板１３が揺動されるので、取付板１３が後方の垂直壁Ｄ’に近づくように移動し、座面１５が垂直となる収納位置に収納されるので、ベンチ１０を垂直壁Ｄ’に沿うように折り畳むことができるようになっている。
【００２３】
次に、床形成装置２〜４について詳述する。なお、床形成装置２〜４は、後述するように立設時における高さが異なるだけで、ほぼ同一に構成されているので、ここでは床Ｄに設置されている床形成装置４を一例に説明する。図３は、床形成装置４を示す正面概念図であり、図４は、床形成装置４の前床板６が上昇する状態を示す正面概念図であり、図５は、床形成装置４が立設された状態を示す正面概念図であり、図６は、床形成装置４に手摺り２１を着けた状態を示す正面概念図である。
【００２４】
図３に示すように、床Ｄの上面に設置された床形成装置４は、前床板６の上面は上段の床Ｃよりも下方の下方位置にあるとき、その上面がベンチ１０に座る観客が足を載せる床Ｄの一部を構成するようになっている。床形成装置４は、２つの脚体２２、２３と２本のスジカイ２４、２５が前床板６と台板５の間に形成されている空間に収納されている。
【００２５】
脚体２２、２３は側面視で略矩形状をなしており、脚体２２、２３の中央部には、蝶番部２６、２７が設けられていて、脚体２２、２３が中央部から折り曲げられて収納されている。左右各々に配置されている脚体２２、２３は、前床板６の左右端部と台板５の左右端部に設けられた枢軸２８、２９、３０、３１に各々軸着されている。
【００２６】
床形成装置４を立設させる際には、先ず図１に示す垂直壁Ｄ’に設けられているベンチ１０を折り畳んでベンチ１０の前後方向の幅を小さくするとともに、床形成装置４の前床板６の後端部に軸着されている後床板７を上方に揺動させて前床板６側に折り畳む。
【００２７】
次に、図４に示すように前床板６を持ち上げて上昇させると、前床板６と台板５との間に折り曲げられて収納されている脚体２２、２３が起立されて前床板６が上昇される。このように、垂直壁Ｄ’に設けられているベンチ１０が折り畳まれるとともに、後床板７が前床板６側に折り畳むことができるように設けられていることで、床形成装置４とベンチ１０とが干渉することなく、スムーズに床形成装置４を立設できるようになっている。
【００２８】
また、ベンチ１０は折り畳み可能に構成され、前後方向の幅を小さくすることができるため、前床板６側へ移動される後床板７の前後方向の幅を小さく形成できるとともに、前床板６の前後方向の幅を広く形成させることができる。このように脚体２２、２３に支持されている前床板６の前後方向の幅が広くなることで、床形成装置４の安定性が向上される。
【００２９】
また、立設された床形成装置４の前床板６は、最上段の床Ａと同じ高さまで上昇できるようになっている。図５に示すように、床形成装置４を上方に立設させ、脚体２２、２３の蝶番部２６、２７に設けられている手動のロック装置（図示略）を用いて脚体２２、２３の蝶番部２６、２７を固定する。このロック装置（図示略）は手動のものに限らず、脚体２２、２３が起立されたときに自動的に脚体２２、２３の蝶番部２６、２７を固定できるものであってもよい。
【００３０】
また、図６に示すように、台板５の左右端部に設けられた枢軸３０、３１に軸着されたスジカイ２４、２５を起立させて、前床板６に設けられている係止部３２、３３にスジカイ２４、２５の上端を係止させることで、スジカイ２４、２５を固定させる。更に、前床板６の前側の上面には、左右に嵌合穴３４、３５が形成されており、この嵌合穴３４、３５に、床形成装置４と別体として設けられている手摺り２１の左右下端を嵌合させる。
【００３１】
床Ｂ及び床Ｃに設置されている床形成装置２、３についても前述した床形成装置４と同様に立設させることができ、立設された床形成装置２、３の前床板３６、３７は、前述した前床板６と同様に、最上段の床Ａと同じ高さまで上昇できるようになっている。
【００３２】
次に、床Ｃと床Ｄに設置されている床形成装置３、４の連結装置について詳述すると、図７（ａ）は、連結装置が収納された状態を示す平面図であり、図７（ｂ）は、連結時の連結装置を示す平面図である。
【００３３】
図７（ａ）に示すように、床形成装置３の前端部には、連結装置を構成するブロック状の連結部材４０が前床板３７の前端に形成された溝状の収納部４１に収納されており、この連結部材４０は上下方向に貫通した連結孔４２を有していて、枢軸４３を介して前床板３７に軸着されている。そして図７（ｂ）に示すように、この連結部材４０を前床板３７の収納部４１から枢軸４３を中心として揺動させると、連結部材４０に形成された連結孔４２を露出させることができる。
【００３４】
図１に示すように、床形成装置２の前端の収納部４９には、前述した床形成装置３と同様に、連結装置を構成する連結部材４４が収納できるとともに、床Ａの前端部に形成された収納部４６にも連結装置を構成する連結部材４５が収納されている。通常の階段状観覧席として使用するときは、これらの連結部材４０、４４、４５は収納されていて、床形成装置２、３、４を立設させたときに前方に突出できるようになっている。
【００３５】
図８は、床形成装置３、４同士が連結装置によって連結される状態を示す側面図であり、床形成装置３、４が立設されたときに、床形成装置３の前床板６と床形成装置４の前床板３７は、それぞれ最上段の床Ａと同高さとなる上方位置まで上昇されている。また、枢軸４７を介して前床板６に軸着された後床板７は、枢軸４７を中心に揺動できるようなっており、後床板７の後方の下端部には、下方に向けて突出する連結凸部４８が設けられている。
【００３６】
床形成装置４の前床板６側に折り畳まれた後床板７を後方に揺動して水平状態にすると、床形成装置４の後床板７の連結凸部４８が、床形成装置３の前端に設けられている連結部材４０の連結孔４２に嵌合され、床形成装置３と床形成装置４とが連結される。そのため、立設された床形成装置３、４の前床板６、３７同士の離間が防止され、床形成装置４の前床板３７と床形成装置３の前床板６との間を閉塞することができるので、床Ｃから床Ｄの上方に、面一な広い床が形成される。また、この連結凸部４８と連結孔４２との嵌合により、上昇させた前床板６とその上段の前床板３７との間に隙間等が形成されることがないので、安全性が向上する。
【００３７】
そして、立設された３つの床形成装置２、３、４の前床板６、３６、３７は、それぞれの前床板６、３６、３７の後端部に軸着された後床板７、３８、３９が、対応する連結部材４０、４４によって互いに連結されるとともに、前床板３６の後端部に軸着された後床板３８は、最上段の床Ａの前端部に設けられた連結部材４５と連結されるので、立設された床形成装置２、３、４の安定性が向上する。
【００３８】
図９に示されるように、立設された床形成装置２、３、４の各々の前床板６、３６、３７及び後床板７、３８、３９は、最上段の床Ａと同じ高さとなる上方位置までそれぞれ上昇されることで、最上段の床Ａから連続する段差のない面一な床、すなわち、各段の床Ｂ〜Ｄの床面積よりも広面積の床面が、床Ｂ〜Ｄの上方に形成される。
【００３９】
このように、床形成装置２、３、４の各々の前床板６、３６、３７及び後床板７、３８、３９を上昇させることで、階段状観覧席における床Ａ〜Ｅ間の段差をなくして、階段状観覧席における一部のエリアに、各段の床における前後方向の幅よりも幅広な床を形成することができるので、例えば車椅子の使用者１等が通路の床Ａから階段状観覧席に容易に進入して観覧することができるエリアを提供することができるようになる。
【００４０】
また、床形成装置２、３、４の各々の前床板６、３６、３７及び後床板７、３８、３９を各床の上段の床よりも下方の下方位置まで下降させることで、これら床形成装置２、３、４の各々の前床板６、３６、３７及び後床板７、３８、３９の上面が建築躯体からなる床Ｂ〜Ｄの通常時の床面の一部を構成することになり、通常の階段状観覧席として使用できるため、床形成装置２、３、４が邪魔になることがない。
【００４１】
すなわち、階段状観覧席の少なくとも一部に、必要に応じて各段の床よりも広面積の床を形成できるとともに、不要なときには通常の階段状観覧席として利用することができる。また、１つの床のみならず、連続する複数段の床を上下昇降自在とすることで、複数段にわたってより広い床を形成することができるようになる。
【００４２】
また、これらの床形成装置２、３、４は、床Ｂ、Ｃ、Ｄに対して着脱できるようになっており、施設内の如何なる場所の階段状観覧席であっても車椅子の使用者１の観覧エリアを提供することができる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、上記実施例では、３台の上下昇降可能な床形成装置２、３、４が設けられることにより、広面積の床を階段状観覧席に形成できるようになっているが、これに限られるものではなく、例えば、床Ｂに設置されている１台の床形成装置２のみを立設させて使用することもできるし、床Ｂと床Ｃに設置されている２台の床形成装置２、３を用いて面一をなす床を形成するようにしてもよい。
【００４５】
また、最前方に配置されている床形成装置４の前床板６の前側に手摺り２１を設けることで、車椅子の使用者１が上方位置に形成された床から落下することを防止できるようになり、床形成装置２、３、４の安全性が向上するようになっている。更に、この手摺りは床形成装置２、３、４の最前部のみならず、床形成装置２、３、４の左右側方等に設けるようにしてもよい。
【００４６】
また、上記実施例と同様の床形成装置を階段状観覧席の左右方向に複数並べて配置することで、幅方向にわたって広面積の面一をなす床を形成することもでき、その際に、前床板の左右側面に連結装置を設けて、左右に隣接する前床板同士を連結するようにしてもよい。
【００４７】
また、上記実施例では、床形成装置を車椅子の使用者が進入して観覧するための観覧エリアを提供するために適用した例として説明したが、本発明はこれに限定されるものではなく、例えばベビーカーを使用する観客やイベント用のステージ等として使用してもよいし、テレビ放映のための撮影カメラなどの設置場所としても使用することができる。
【００４８】
また、上記実施例では、手動で床形成装置を立設させることで床を上下昇降させているが、本発明はこれに限定されるものではなく、油圧アクチュエータ等を用いて自動で各段の床を下方位置から上方位置まで上下昇降できるようにしてもよい。
【００４９】
また、上記実施例では、階段状の建築駆体における各段の床に、床形成装置を設置することで、各段の床を上方位置まで上下昇降させていたが、本発明はこれに限定されるものではなく、階段状に形成した建築駆体における各段の床の一部を下方位置から上方位置まで上下昇降できるようにしてもよい。
【図面の簡単な説明】
【００５０】
【図１】本発明の階段状観覧席における床形成装置を示す側面図である。
【図２】（ａ）は、ベンチを示す側面図であり、（ｂ）は、ベンチが折り畳まれた状態を示す側面図である。
【図３】床形成装置を示す正面概念図である。
【図４】床形成装置の前床板が上昇する状態を示す正面概念図である。
【図５】床形成装置が立設された状態を示す正面概念図である。
【図６】床形成装置に手摺りを着けた状態を示す正面概念図である。
【図７】（ａ）は、連結装置が収納された状態を示す平面図であり、（ｂ）は、連結時の連結装置を示す平面図である。
【図８】床形成装置同士が連結装置によって連結される状態を示す側面図である。
【図９】面一をなす床が形成された床形成装置を示す側面図である。
【符号の説明】
【００５１】
１                使用者
２、３、４        床形成装置
５                台板
６                前床板
７                後床板
８、９            ベンチ
１０、１１        ベンチ
１２              ベース
１３              取付板
１４              枢軸
１５              座面
１６              支持体
１７              枢軸
１８              掛止部
１９              摺動孔
２０              掛止溝
２１              手摺り
２２、２３        脚体
２４、２５        スジカイ
２６、２７        蝶番部
２８、２９        枢軸
３０、３１        枢軸
３２、３３        係止部
３４、３５        嵌合穴
３６、３７        前床板
３８、３９        後床板
４０              連結部材（連結装置）
４１              収納部
４２              連結孔（連結装置）
４３              枢軸
４４、４５        連結部材（連結装置）
４６              収納部
４７              枢軸
４８              連結凸部（連結装置）
４９              収納部
Ａ、Ｂ、Ｃ        床
Ｄ、Ｅ            床
Ａ’、Ｂ’、Ｃ’    垂直壁
Ｄ’、Ｅ’          垂直壁
【図１】
2005194769.tif 000003
【図２】
2005194769.tif 000004
【図３】
2005194769.tif 000005
【図４】
2005194769.tif 000006
【図５】
2005194769.tif 000007
【図６】
2005194769.tif 000008
【図７】
2005194769.tif 000009
【図８】
2005194769.tif 000010
【図９】
2005194769.tif 000011